(57)【要約】【課題】モアレ縞及び色ズレに加えてシャドウマスクの破断や色純度ばらつきを生じることなく、輝度が向上したカラー陰極線管を提供する。【解決手段】シャドウマスク５の複数の孔列１５の各々は、垂直方向幅が長い開孔１６と、垂直方向幅が短い開孔１７と、これらの開孔間のブリッジ１４とを有する。各孔列１５には、１つの長い開孔１６と、１又は２以上の短い開孔１７とが交互に配置されており、短い開孔１７の水平方向最大幅ＨＳｍａｘは長い開孔１６の水平方向基本幅ＨＬより大きい。【選択図】  図３
2004362778.tif 000002
【特許請求の範囲】
【請求項１】
内面に蛍光体スクリーンが形成されたパネルと、前記蛍光体スクリーンと対向するシャドウマスクとを備えたカラー陰極線管において、
前記シャドウマスクは複数の孔列を有し、
前記孔列は、垂直方向幅が長い開孔と、垂直方向幅が短い開孔と、これらの開孔間のブリッジとを有し、
前記各孔列には、１つの前記長い開孔と、１又は２以上の前記短い開孔とが交互に配置されており、
前記短い開孔の水平方向最大幅ＨＳｍａｘは前記長い開孔の水平方向基本幅ＨＬより大きいことを特徴とするカラー陰極線管。
【請求項２】
垂直方向において最も近い２つの前記長い開孔の間に挟まれる全ての前記ブリッジの総面積をＳ１、前記２つの長い開孔の間に挟まれる全ての前記短い開孔のうち前記長い開孔の前記水平方向基本幅ＨＬを定義する一対の基本垂直辺の延長線よりも水平方向の外側に拡がった部分の総面積をＳ２とするとき、０．９＜Ｓ１／Ｓ２＜１．１の関係を満足する請求項１に記載のカラー陰極線管。
【請求項３】
垂直方向において最も近い２つの前記長い開孔の間の距離をＬ１、前記シャドウマスクの開孔に対する前記蛍光体スクリーン上での通過ビームの垂直方向の倍率をλＹ、前記シャドウマスク及び前記パネルのうちの一方を他方に対して垂直方向に相対的に揺動させて露光する際の垂直方向の相対的移動量をＹとするとき、Ｌ１＜λＹ×Ｙの関係を満足する請求項１に記載のカラー陰極線管。
【請求項４】
前記長い開孔は、垂直方向の両端又はその近傍において、前記水平方向基本幅ＨＬより大きな水平方向幅を有する請求項１に記載のカラー陰極線管。
【請求項５】
垂直方向において最も近い２つの前記長い開孔の間に挟まれる全ての前記ブリッジの総面積をＳ１１、前記長い開孔のうち前記水平方向基本幅ＨＬを定義する一対の基本垂直辺よりも水平方向の外側に拡がった部分と、前記２つの長い開孔の間に挟まれる全ての前記短い開孔のうち前記一対の基本垂直辺の延長線よりも水平方向の外側に拡がった部分との総面積をＳ２２とするとき、０．９＜Ｓ１１／Ｓ２２＜１．１の関係を満足する請求項４に記載のカラー陰極線管。
【請求項６】
垂直方向において最も近い２つの前記長い開孔の間の距離をＬ１、前記長い開孔において前記水平方向基本幅ＨＬより大きな水平方向幅を有する部分の垂直方向幅の合計長さをＶＬａＴ、前記シャドウマスクの開孔に対する前記蛍光体スクリーン上での通過ビームの垂直方向の倍率をλＹ、前記シャドウマスク及び前記パネルのうちの一方を他方に対して垂直方向に相対的に揺動させて露光する際の垂直方向の相対的移動量をＹとするとき、Ｌ１＋ＶＬａＴ＜λＹ×Ｙの関係を満足する請求項４に記載のカラー陰極線管。
【請求項７】
１．０≦ＨＳｍａｘ／ＨＬ≦１．５の関係を満足する請求項１に記載のカラー陰極線管。
【請求項８】
前記シャドウマスクに含まれる全ての前記ブリッジについて、その垂直方向の中心位置を通る水平方向中心線をそれぞれ定義したとき、前記水平方向中心線の垂直方向の間隔ＰＢＶが略一定である請求項１に記載のカラー陰極線管。
【請求項９】
水平方向に相互に隣り合う任意の２つの前記孔列にそれぞれ含まれる前記短い開孔が水平方向に並ばない請求項１に記載のカラー陰極線管。
【請求項１０】
前記シャドウマスクは、水平方向に隣り合う２つの前記孔列からなる繰り返し単位を水平方向に繰り返した開孔配置パターンを有し、
前記長い開孔を挟む一対のブリッジの前記水平方向中心線の間隔をＢＬ、前記短い開孔を挟む一対のブリッジの前記水平方向中心線の間隔をＢＳ、垂直方向において最も近い２つの前記長い開孔の間に挟まれる前記短い開孔の個数をＮ（Ｎは１以上の整数）、前記長い開孔の垂直方向の配列ピッチをＰＬＶ（ＰＬＶ＝ＢＬ＋ＢＳ×Ｎ）としたとき、全ての前記孔列において前記長い開孔の配列ピッチＰＬＶが略同一であり、且つ、全ての前記孔列においてＢＬ＝ＢＳ×（Ｎ＋２）の関係がほぼ成立する請求項８に記載のカラー陰極線管。
【請求項１１】
前記シャドウマスクは、水平方向に連続する４つの前記孔列からなる繰り返し単位を水平方向に繰り返した開孔配置パターンを有し、
全ての前記孔列において前記長い開孔の垂直方向の配列ピッチＰＬＶが略同一であり、且つ、前記短い開孔を挟む一対のブリッジの前記水平方向中心線の間隔をＢＳとしたとき、前記水平方向中心線の間隔ＰＢＶとの間にＢＳ＝２×ＰＢＶの関係が全ての前記孔列においてほぼ成立する請求項８に記載のカラー陰極線管。
【請求項１２】
前記シャドウマスクは、水平方向に連続する４つの前記孔列からなる繰り返し単位を水平方向に繰り返した開孔配置パターンを有し、
全ての前記孔列において前記長い開孔の垂直方向の配列ピッチＰＬＶが略同一であり、且つ、垂直方向において最も近い２つの前記長い開孔の間に挟まれる前記短い開孔の個数をＮ（Ｎは１以上の整数）としたとき、前記繰り返し単位を構成する４つの前記孔列のそれぞれにおける前記個数Ｎが同一ではない請求項８に記載のカラー陰極線管。
【発明の詳細な説明】
【０００１】
【発明の属する技術分野】
本発明は、テレビジョン受像機又はコンピュータディスプレイとして好ましく用いられるカラー陰極線管に関する。
【０００２】
【従来の技術】
カラー陰極線管では、電子銃から射出される電子ビームが、シャドウマスクに形成された開孔を通過した後、蛍光体スクリーンに射突して、蛍光体を発光させる。
【０００３】
図１５に示すように、シャドウマスク９５は、矢印９の方向（垂直方向、即ちＹ軸方向）に張力が印加された状態でマスクフレーム９６に溶接されている。シャドウマスク９５には、多数の開孔９０が形成されており、電子ビームはこの開孔９０を通過して蛍光体スクリーンに到達する。
【０００４】
このようなテンション方式のシャドウマスク９５に形成される開孔９０の形状及び配置としては、図１６のように、垂直方向を長手方向とする略スロット型のほぼ同じ形状の開孔９０を多数配列したものが一般的である。
【０００５】
カラー陰極線管の動作時に、シャドウマスク９５は電子ビームにより加熱され膨張する。垂直方向の熱膨張はシャドウマスク９５に印加された張力により吸収されるが、水平方向の熱膨張はブリッジ９１を介して水平方向に伝わり、いわゆるドーミングを発生する。このドーミングを防止するためには、ブリッジ９１の垂直方向ピッチが長い方が好ましい。また、ブリッジ９１の垂直方向ピッチを長くすると、開孔面積が増加することにより表示画像の輝度が向上する。しかしながら、規則正しく配置されたブリッジ９１と水平方向の走査線との相互干渉によってモアレ縞が発生し画質が劣化するという問題がある。
【０００６】
この問題を解決するために、特許文献１には、シャドウマスク９５の各開孔９０の一対の垂直辺を凹凸状とする技術が開示されている。図１７に、このシャドウマスク９５、蛍光体スクリーン２ａ、および、シャドウマスク９５の開孔９０を通過した後の電子ビーム（通過ビーム）９４を電子銃側から見た様子を簡略化して示す。
【０００７】
このような技術によれば、開孔９０の一対の垂直辺から内側に突出する複数の凸部９２が疑似ブリッジとしての役割を果たすので、ブリッジ９１の垂直方向ピッチを長くしてもブリッジ９１と走査線との干渉作用によるモアレ縞の発生を抑えることができる。また、ブリッジ９１の数を減らすことができるため、ブリッジ９１を介して熱が水平方向に伝達されにくくなるので、ドーミングによりシャドウマスクの開孔の位置ずれを抑えることができ、色ズレ防止効果が得られる。
【０００８】
さらに、特許文献２には、シャドウマスクの破断防止と輝度向上のために、図１８のように、垂直方向の長さが異なる２種類の開孔９０ａ，９０ｂを組み合わせて配列することが提案されている。
【０００９】
【特許文献１】
特開２００１−８４９１８号公報
【００１０】
【特許文献２】
特開昭６３−４３２４１号公報
【００１１】
【発明が解決しようとする課題】
しかしながら、上記の従来の技術はそれぞれ以下のような問題を有していた。
【００１２】
図１７に示した技術では、蛍光体スクリーン２ａの蛍光体ライン１２がほぼ直線であるのに対し、電子ビームはブリッジ９１および凸部（擬似ブリッジ）９２によって遮られるので通過ビーム９４は開孔９０とほぼ同じ形状となる。従って、蛍光体ライン１２には非発光部分ができる。一般に陰極線管では単位電流当たりに得られる輝度は高い方が望ましく、このためには非発光部分をなくすことが有効であるが、図１７の技術ではブリッジ９１と多数の凸部９２とが存在するために輝度を高めることが困難であった。なお、ブリッジ９１の垂直方向幅を小さくすれば非発光部分の面積は少なくなるが、ブリッジ９１の垂直方向ピッチが大きいため機械的強度が不足してブリッジ９１の破断が発生しやすくなるといった問題があり、ブリッジ９１の垂直方向幅を小さくするのは困難である。また、複数の凸部９２の垂直方向幅を小さくしても非発光部分の面積を少なくできるが、狭幅の凸部９２を寸法精度良く形成することは難しく、このため色純度のばらつきが生じるといった問題もある。
【００１３】
また、蛍光体ライン１２を形成するための方法として、シャドウマスク９５をマスクとして使用して蛍光体ライン１２を露光して形成する露光法が一般に使用されている。この露光法では、光の照度が異なると形成される蛍光体ラインの幅に変化が生じる。図１８に示した技術では、２つの開孔９０ａ，９０ｂの水平方向幅が同一であるので、垂直方向の両端の一対のブリッジ９１の間隔が狭い短い開孔９０ｂを通過した光の照度は、これより一対のブリッジ９１の間隔が広い長い開孔９０ａを通過した光の照度より小さくなる。従って、露光法により均一幅の蛍光体ライン１２を形成することが困難であるという問題があった。
【００１４】
本発明は、前記のような従来の課題を解決することを目的としている。即ち、本発明は、モアレ縞及び色ズレに加えてシャドウマスクの破断や色純度ばらつきを生じることなく、輝度が向上したカラー陰極線管を提供することを目的とする。また、本発明は、均一幅の蛍光体ラインを備えたカラー陰極線管を提供することを目的とする。
【００１５】
【課題を解決するための手段】
上記の目的を達成するために、本発明のカラー陰極線管は、内面に蛍光体スクリーンが形成されたパネルと、前記蛍光体スクリーンと対向するシャドウマスクとを備えたカラー陰極線管において、前記シャドウマスクは複数の孔列を有し、前記孔列は、垂直方向幅が長い開孔と、垂直方向幅が短い開孔と、これらの開孔間のブリッジとを有し、前記各孔列には、１つの前記長い開孔と、１又は２以上の前記短い開孔とが交互に配置されており、前記短い開孔の水平方向最大幅ＨＳｍａｘは前記長い開孔の水平方向基本幅ＨＬより大きいことを特徴とする。
【００１６】
【発明の実施の形態】
本発明のカラー陰極線管では、シャドウマスクの各孔列には、１つの前記長い開孔と、１又は２以上の前記短い開孔とが交互に配置されている。従って、短い開孔を垂直方向に挟む２つのブリッジの垂直方向間隔が狭くなる。そのために、各ブリッジの垂直方向幅を小さくしてもシャドウマスクに必要な機械的強度を確保できる。また、ブリッジの垂直方向幅を小さくできるので、表示画像の輝度が向上する。
【００１７】
一方、長い開孔を垂直方向に挟む２つのブリッジの間隔は拡げられる。即ち、垂直方向のブリッジ間隔が狭い部分と広い部分とが混在する。これにより、水平方向における熱及び熱膨張の伝達を抑えることができ、ドーミングによる色ズレを防止できる。
【００１８】
また、垂直方向に、１つの長い開孔と、１又は２以上の短い開孔とが交互に配置されるので、ブリッジの配置の規則性が希薄になり、モアレ縞の発生が抑えられる。従って、図１７に示したような凸部９２の形成が不要になる。これにより、凸部９２の寸法バラツキによる色純度の低下という問題が発生しない。また、凸部の形成が不要であるために、輝度が一層向上する。
【００１９】
また、短い開孔の水平方向最大幅ＨＳｍａｘは長い開孔の水平方向基本幅ＨＬより大きいことにより、垂直方向幅の違いに起因して長い開孔と短い開孔との間で生じるよる照度差を少なくできるので、露光法により均一幅の蛍光体ラインを形成することができる。ここで、長い開孔の水平方向基本幅ＨＬとは、長い開孔の水平方向幅がほぼ一定の場合にはその幅を意味し、水平方向幅が垂直方向において変化している場合には、垂直方向において最も長い範囲に亘って水平方向幅がほぼ一定であると認められる部分の水平方向幅を意味する。
【００２０】
上記の本発明のカラー陰極線管において、垂直方向において最も近い２つの前記長い開孔の間に挟まれる全ての前記ブリッジの総面積をＳ１、前記２つの長い開孔の間に挟まれる全ての前記短い開孔のうち前記長い開孔の前記水平方向基本幅ＨＬを定義する一対の基本垂直辺の延長線よりも水平方向の外側に拡がった部分の総面積をＳ２とするとき、０．９＜Ｓ１／Ｓ２＜１．１の関係を満足することが好ましい。これにより、露光法により、一層均一幅の蛍光体ラインを形成することができる。
【００２１】
また、上記の本発明のカラー陰極線管において、前記シャドウマスクに含まれる全ての前記ブリッジについて、その垂直方向の中心位置を通る水平方向中心線をそれぞれ定義したとき、前記水平方向中心線の垂直方向の間隔ＰＢＶが略一定であることが好ましい。これにより、ブリッジの垂直方向幅を狭くすることなく、黒い縞模様を見えにくくすることができる。また、ブリッジの垂直方向幅を狭くする必要がないので、シャドウマスクの機械的強度を確保でき、また地磁気特性が劣化することがない。
【００２２】
以下、本発明のカラー陰極線管を図面を用いて説明する。
【００２３】
本発明のカラー陰極線管の一実施形態を図１に示す。カラー陰極線管１は、内面に蛍光体スクリーン２ａが形成されたパネル２とファンネル３とからなる外囲器を備える。ファンネル３のネック部３ａには電子銃４が内装されている。蛍光体スクリーン２ａに対向するシャドウマスク５がマスクフレーム６によって支持され、マスクフレーム６はスプリング（図示せず）を介してパネル２の内壁に設けられたパネルピン（図示せず）に取り付けられる。また、電子銃４から射出される３本の電子ビーム７を偏向走査させるために、ファンネル３の外部に偏向ヨーク８が設けられている。
【００２４】
（実施の形態１）
実施の形態１にかかるシャドウマスク５とマスクフレーム６とからなる組み立て体を図２に示す。マスクフレーム６は、長辺をなす対向する一対の支持体１０と短辺をなす一対の弾性部材１１とが長方形状の枠体となるように固定されて構成される。シャドウマスク５は、矢印９の方向（垂直方向、即ちＹ軸方向）に張力を印加された状態で支持体１０に溶接されている。シャドウマスク５は、電子ビームが通過する開孔が垂直方向に並んだ孔列１５を水平方向（Ｘ軸方向）に多数有している。
【００２５】
図３は、本実施の形態に係るカラー受像管において、シャドウマスク５、蛍光体スクリーン２ａ、および、電子ビームが開孔を通過後に蛍光体スクリーン２ａへ到達した通過ビームを電子銃側から見た様子を簡略化して示したものである。蛍光体スクリーン２ａには、垂直方向に沿った多数のストライプ状の蛍光体ライン１２が配列形成されている。シャドウマスク５の１つの孔列１５に対して３本の蛍光体ライン１２が対応する。電子ビームがシャドウマスク５の開孔１６，１７を通過し通過ビーム１８，１９として蛍光体スクリーン２ａに到達すると蛍光体ライン１２が照射される。ここで、シャドウマスク５の垂直方向に隣り合う２つの開孔を仕切るブリッジ１４によって電子ビームが遮断されるので、蛍光体ライン１２上のブリッジ１４に対応する領域には電子ビームが入射せず、非発光領域２０が形成される。
【００２６】
本実施の形態では、この非発光領域２０の面積を極力少なくすることができる。この点について以下に詳細に説明する。
【００２７】
本実施の形態では、シャドウマスク５の電子ビーム通過孔として、水平方向（Ｘ軸方向）幅よりも垂直方向（Ｙ軸方向）幅が大きい垂直方向に長い開孔（以下、単に「長い開孔」という）１６と、この長い開孔１６に比べて垂直方向幅が小さい短い開孔（以下、単に「短い開孔」という）１７とが形成されている。図３に示した実施形態では、各孔列１５においては、１つの長い開孔１６と、１つの短い開孔１７とが交互に形成されている。
【００２８】
このため、各孔列１５において、短い開孔１７を垂直方向に挟む２つのブリッジ１４は互いに接近して配置される。このように互いに接近する二つのブリッジ１４の相乗効果によりシャドウマスク５の強度が補強されるので、各ブリッジ１４の垂直方向幅Ｇを従来より狭くしても、シャドウマスク５の必要な機械的強度を確保できる。
【００２９】
また、ブリッジ１４の垂直方向幅Ｇを狭めることができるため、ブリッジ１４の影による非発光領域２０の垂直方向幅Ｇｓｄを狭くすることができる。これにより、輝度を高めることができる。
【００３０】
また、ブリッジ１４の垂直方向幅Ｇが狭いので、ブリッジ１４の影はほとんど目立たない。このため、熱膨張による色ズレを抑えるために開孔の垂直方向ピッチを拡げて各孔列１５におけるブリッジ１４の数を減らしても、走査線とブリッジ１４との干渉によるモアレ縞が発生しにくなる。従って、図１７に示した従来技術のように、開孔の垂直辺に開孔内に突出する凸部９２を複数設けるといった複雑な開孔形状が必要がない。
【００３１】
また、短い開孔１７の水平方向最大幅ＨＳｍａｘは、長い開孔１６の水平方向基本幅ＨＬより大きい。蛍光体ライン１２を形成するための方法として、シャドウマスク５をマスクとして使用して蛍光体ライン１２を露光して形成する露光法が一般に使用される。この露光法では、光の照度が異なると形成される蛍光体ラインの幅に変化が生じる。全ての開孔の水平方向幅が一定の場合には、ブリッジ間隔が狭い短い開孔を通過した光の照度は、これよりブリッジ間隔が広い長い開孔を通過した光の照度より小さくなる。本実施の形態では、短い開孔１７の水平方向最大幅ＨＳｍａｘを長い開孔１６の水平方向基本幅ＨＬより大きくしているので、垂直方向幅の違いに起因して長い開孔１６と短い開孔１７との間で生じるよる照度差を少なくできるので、蛍光体ライン１２を均一幅に形成することができる。
【００３２】
ここで、図３に示すように、長い開孔１６の水平方向基本幅ＨＬを定義する垂直方向の一対の辺１６１を基本垂直辺と呼ぶ。垂直方向において最も近い２つの長い開孔１６の間に挟まれる全てのブリッジ１４の、一対の基本垂直辺１６１の延長線の間の部分２１ａ，２１ｂの総面積をＳ１とする。また、短い開孔１７のうち一対の基本垂直辺１６１の延長線よりも水平方向の外側に拡がった部分２２ａ，２２ｂの総面積をＳ２とする。このとき、０．９＜Ｓ１／Ｓ２＜１．１を満足することが望ましい。このようにすることで、蛍光体ライン１２を露光法により形成する際に、短い開孔１７及びブリッジ１４の部分での光の照度の不足を補うことができるので、蛍光体ライン１２の幅をほぼ均一にすることができる。
【００３３】
また、垂直方向において最も近い２つの長い開孔１６の間の垂直方向距離をＬ１（ブリッジ１４の垂直方向幅をＧ、短い開孔１７の垂直方向幅をＶＳとしたとき、図３の場合にはＬ１＝ＶＳ＋２Ｇ）、シャドウマスク５の開孔１６又は１７に対する蛍光体スクリーン上の通過ビーム１８又は１９の垂直方向の倍率をλＹ、露光法により蛍光体ライン１２を形成する場合において、シャドウマスク５及びパネル２のうちの一方を他方に対して垂直方向に相対的に往復移動させながら露光する際の垂直方向の相対的移動量をＹとするとき、Ｌ１＜λＹ×Ｙの関係を満足することが望ましい。このようにすると、短い開孔１７の水平方向最大幅ＨＳｍａｘを大きくすることで短い開孔１７を通過した光の照度が大きくなりすぎて蛍光体ライン１２の幅が局部的に広がってしまうようなことがなく、蛍光体ライン１２の幅をほぼ均一にすることができる。
【００３４】
さらに、長い開孔１６の水平方向基本幅ＨＬと短い開孔１７の水平方向最大幅ＨＳｍａｘとは、１．０≦ＨＳｍａｘ／ＨＬ≦１．５を満足することが好ましい。シャドウマスク５の開孔１６，１７を通過し蛍光体スクリーンに到達する通過ビーム１８，１９の水平方向幅が大きすぎると、本来照射するべき色の蛍光体ラインだけでなく他の色の蛍光体ラインをも照射しやすく、色ずれや白色品質低下の要因となりうる。これらの現象を防ぐために、上記式を満足するように水平方向最大幅ＨＳｍａｘが設定されることが好ましい。
【００３５】
また、さらに、ブリッジ１４の影を目立ちにくくするために、ブリッジ１４による非発光領域２０の垂直方向幅Ｇｓｄが、Ｇｓｄ＜蛍光体スクリーンの垂直方向有効幅／走査線本数×０．０５を満足することが望ましい。この関係を満足するように、ブリッジ１４の垂直方向幅Ｇを決定することが好ましい。
【００３６】
なお、図３では、長い開孔１６及び短い開孔１７は共に矩形であるが、図４に示すように、長い開孔１６及び短い開孔１７が丸みを帯びた形状であってもよい。シャドウマスク５の開孔は一般にエッチングで形成されるため、完全な矩形とならず、このように４隅が丸みを帯びた形状となる場合も少なくない。
【００３７】
長い開孔１６は、図３のような長方形に限らず、図５に示すように、長い開孔１６の垂直方向両端又はその近傍で水平方向幅が拡大するように、長い開孔１６の水平方向基本幅ＨＬを定義する一対の基本垂直辺１６２よりも外側に突出した突出部２３を形成して、長い開孔１６を略「Ｉ」字状の開孔形状に形成しても良い。この場合、垂直方向において最も近い２つの長い開孔１６の間に挟まれる全てのブリッジ１４に相当する部分２４ａ，２４ｂの総面積をＳ１１とする。また、長い開孔１６のうち、一対の基準垂直辺１６２の延長線よりも水平方向の外側に拡がった突出部２３に相当する部分２５ａ、２５ｂ、２５ｃ、２５ｄと、短い開孔１７のうち一対の基準垂直辺１６２の延長線よりも水平方向の外側に拡がった部分２６ａ、２６ｂとの総面積をＳ２２とする。このとき、０．９＜Ｓ１１／Ｓ２２＜１．１を満足することが望ましい。このようにすることで、蛍光体ライン１２を露光法により形成する際に、短い開孔１７及びブリッジ１４の部分での光の照度の不足を補うことができるので、蛍光体ライン１２の幅をほぼ均一にすることができる。
【００３８】
また、垂直方向において最も近い２つの長い開孔１６の間の垂直方向距離をＬ１とする（ブリッジ１４の垂直方向幅をＧ、短い開孔１７の垂直方向幅をＶＳとしたとき、図５の場合にはＬ１＝ＶＳ＋２Ｇ）。また、突出部２３の垂直方向幅をＶＬａとしたとき、図５の場合には、長い開孔１６において水平方向基本幅ＨＬより大きな水平方向幅を有する部分の垂直方向幅の合計長さＶＬａＴは、ＶＬａＴ＝２ＶＬａとなる。これらより、広幅部の垂直方向長さＬ１１をＬ１１＝Ｌ１＋ＶＬａＴにより定義する。また、シャドウマスク５の開孔１６又は１７に対する蛍光体スクリーン上の通過ビーム１８又は１９の垂直方向の倍率をλＹ、露光法により蛍光体ライン１２を形成する場合において、シャドウマスク５及びパネル２のうちの一方を他方に対して垂直方向に相対的に往復移動させながら露光する際の垂直方向の相対的移動量をＹとする。このとき、Ｌ１１＜λＹ×Ｙの関係を満足することが望ましい。このようにすると、長い開孔１６に突出部２３を設けること及び短い開孔１７の水平方向最大幅ＨＳｍａｘを大きくすることで突出部２３及び短い開孔１７を通過した光の照度が大きくなりすぎて蛍光体ライン１２の幅が局部的に広がってしまうようなことがなく、蛍光体ライン１２の幅をほぼ均一にすることができる。
【００３９】
短い開孔１７についても、その開孔形状は、図３，図５のような矩形や、図４のような丸みを帯びた形状に限定されず、例えば、後述する図１３，図１４のように、水平方向幅が、ブリッジ１４の近傍で広く、垂直方向の中央部でこれよりやや細い略「Ｉ」字状であっても良い。
【００４０】
図２〜図５では、各孔列１５において１つの長い開孔１６と１つの短い開孔１７とが交互に配設される例を示したが、これに限らず、図６に示すように、各孔列１５において１つの長い開孔１６と２つの短い開孔１７ａ，１７ｂとが交互に配設されていてもよい。この場合、垂直方向に隣り合う２つの長い開孔１６の間の３つのブリッジ１４が互いに接近して配置される。従って、この３つのブリッジ１４の相乗効果によりシャドウマスク５の強度が補強されるので、各ブリッジ１４の垂直方向幅を更に狭めることができる。なお、垂直方向に隣り合う２つの長い開孔１６の間の短い開孔１７の個数は、１又は２に限定されず、３以上であっても良い。
【００４１】
なお、蛍光体ライン１２の形成方法は上記の露光法に限定されず、例えば印刷法などの他の方法であっても良い。
【００４２】
次に、本発明の実施の形態１に係る具体的な一実施例として、画面対角サイズ５１ｃｍ、偏向角９０°のカラー陰極線管を例に挙げて説明する。
【００４３】
図３に示した実施形態に対応する実施例のカラー陰極線管用シャドウマスクは、孔列１５の水平方向ピッチＰＨ＝０．４ｍｍ、長い開孔１６の垂直方向ピッチＰＬＶ＝５．０ｍｍ、長い開孔１６の水平方向基本幅ＨＬ＝０．１ｍｍ、ブリッジ１４の垂直方向幅Ｇ＝０．０２５ｍｍ、短い開孔１７の水平方向最大幅ＨＳｍａｘ＝０．１２ｍｍ、短い開孔１７の垂直方向幅ＶＳ＝０．３７５ｍｍとした。また、シャドウマスク５と蛍光体スクリーン２ａとの間隔は９ｍｍとした。このとき、垂直方向において最も近い２つの長い開孔１６の間に挟まれる全てのブリッジ１４の、一対の基本垂直辺１６１の延長線の間の部分２１ａ，２１ｂの総面積Ｓ１と、短い開孔１７のうち一対の基本垂直辺１６１の延長線よりも水平方向の外側に拡がった部分２２ａ，２２ｂの総面積Ｓ２との比率は、Ｓ１／Ｓ２＝１．０６であった。また、垂直方向において最も近い２つの長い開孔１６の間の垂直方向距離Ｌ１は０．４２５ｍｍであり、これは、シャドウマスク５の開孔に対する通過ビームの垂直方向の倍率λＹ＝０．０３と、露光法により蛍光体ライン１２を形成するときの、露光時のシャドウマスク５又はパネル２の垂直方向の相対的移動量Ｙ＝２４ｍｍとの積（０．７２０）より十分小さい値とした。このようにすることで、各蛍光体ライン１２の幅をほぼ一定にすることができた。
【００４４】
また、垂直方向幅Ｇが０．０２５ｍｍである各ブリッジ１４の蛍光体スクリーン２ａ上での影（非発光領域）２０の垂直方向幅Ｇｓｄは０．０１２ｍｍであった。この値は、カラー陰極線管の通常使用時にほとんど目立たないレベルであるため、走査線と非発光領域２０との干渉によるモアレ縞が視認されなかった。また、ブリッジ１４の垂直方向幅Ｇが０．０２５ｍｍと狭くても、短い開孔１７を挟む二つのブリッジ１４の相乗効果によりシャドウマスク５の強度が補強されるので、シャドウマスク５の破断の可能性はほとんどない。
【００４５】
なお、図１６，図１７に示した従来技術のように、全ての開孔の垂直方向幅が同一である場合には、本実施例と同等の機械的強度を得るためにはブリッジ９１の垂直方向幅Ｇを０．０５０ｍｍ程度としなければならず、この場合、蛍光体スクリーン２ａ上でのブリッジの影（非発光領域）の垂直方向幅Ｇｓｄは０．０３２ｍｍとなり、この値は、本実施例のブリッジ１４の影の垂直方向幅Ｇｓｄの２倍より更に大きい。このことから、本発明によればブリッジの影が目立たず、モアレ縞防止効果および輝度向上の効果が得られることがわかる。
【００４６】
（実施の形態２）
実施の形態２にかかるシャドウマスク５とマスクフレーム６とからなる組み立て体を図７に示す。図７に示した組み立て体は、シャドウマスク５に形成される開孔の配置において図２に示した組み立て体と異なる。図２と同様の機能を有する部材には同一の符号を付して、それらの説明を省略する。
【００４７】
図８は、本実施の形態に係るカラー受像管において、シャドウマスク５、蛍光体スクリーン２ａ、および、電子ビームが開孔を通過後に蛍光体スクリーン２ａへ到達した通過ビームを電子銃側から見た様子を簡略化して示したものである。蛍光体スクリーン２ａには、垂直方向に沿った多数のストライプ状の蛍光体ライン１２が配列形成されている。シャドウマスク５の１つの孔列１５に対して３本の蛍光体ライン１２が対応する。電子ビームがシャドウマスク５の開孔５１，５２を通過し通過ビーム５３，５４として蛍光体スクリーン２ａに到達すると蛍光体ライン１２が照射される。ここで、シャドウマスク５の垂直方向に隣り合う２つの開孔を仕切るブリッジ１４によって電子ビームが遮断されるので、蛍光体ライン１２上のブリッジ１４に対応する領域には電子ビームが入射せず、非発光領域２０が形成される。
【００４８】
図１８に示した従来のシャドウマスクでは、表示画像においてこの非発光領域２０が影となって認識されてしまい、例えば画面上に横方向（Ｘ軸方向）に延びる黒い縞模様が見えるといった問題が生じていた。ブリッジ９１の垂直方向の幅を小さくすれば、ブリッジ９１の影は目立ちにくくなるが、このようなブリッジ９１を形成するためには、現在のエッチング技術では、シャドウマスクの板厚をより薄くしなければならず、その結果、ブリッジ９１の機械的強度が低下するので、ブリッジ９１の破断が発生しやすくなるという課題があった。また、シャドウマスクの板厚を薄くすると、地磁気による電子ビームの軌道変化が大きくなり、軌道変化を補正するための部品が必要となり、コストアップになってしまうという課題があった。
【００４９】
本実施の形態では、この非発光領域２０によって画面上に現れる黒い縞模様を見えにくくすることができる。この点について以下に詳細に説明する。
【００５０】
本実施の形態では、シャドウマスク５の電子ビーム通過孔として、水平方向（Ｘ軸方向）幅よりも垂直方向（Ｙ軸方向）幅が大きい垂直方向に長い開孔（以下、単に「長い開孔」という）５１と、この長い開孔５１に比べて垂直方向幅が小さい短い開孔（以下、単に「短い開孔」という）５２とが形成されている。各孔列１５においては、１つの長い開孔５１と、１又は２以上の短い開孔５２とが交互に形成されている。
【００５１】
また、シャドウマスク５に含まれる全てのブリッジ１４について、各ブリッジ１４の垂直方向の中心位置を通る水平方向中心線１４ａをそれぞれ定義する（後述する図９〜図１１参照）。このとき、全ての水平方向中心線１４ａは、垂直方向に略一定間隔（間隔ＰＢＶ）に配置される。換言すれば、シャドウマスク５上に形成されるいずれのブリッジ１４も、シャドウマスク５上に間隔ＰＢＶで等間隔に配置された多数の水平方向線１４ａのうちのいずれかにほぼ沿って配置される。ブリッジ１４をこのように配置することにより、蛍光体スクリーン２ａ上の非発光領域２０も、蛍光体スクリーン２ａ上に等間隔に配置された多数の水平方向線２０ａのうちのいずれかに沿って配置されることになる。この結果、人間の目は非発光領域２０の繰返しを縞と認識しにくくなる。なお、実験の結果から水平方向線２０ａの垂直方向間隔ＳＢＶが１．２ｍｍを越えると、非発光領域２０が黒の縞模様として認識されやすいことが分かっており、水平方向線２０ａの垂直方向間隔ＳＢＶは１．２ｍｍ以下であることが好ましい。間隔ＰＢＶは間隔ＳＢＶとほぼ一致することから、ブリッジ１４の水平方向中心線１４ａの垂直方向間隔ＰＢＶも１．２ｍｍ以下であることが好ましい。
【００５２】
本実施の形態は、このようにブリッジ１４の水平方向中心線１４ａの垂直方向間隔ＰＢＶを小さくすることにより、黒い縞模様を現れにくくしている。単に、垂直方向間隔ＰＢＶを小さくするのであれば、開孔の垂直方向幅を小さくすればよい。しかしながら、その場合には、ブリッジ１４の数が増えて、非発光領域２０が増加して、表示画像の輝度が低下してしまう。本発明は、孔列１５に短い開孔５２に加えて長い開孔５１を設けることにより、輝度の低下を招くことなく、垂直方向間隔ＰＢＶを小さくして黒い縞模様の発生を防止している。
【００５３】
また、短い開孔５２の水平方向最大幅ＨＳｍａｘは、長い開孔５１の水平方向基本幅ＨＬより大きい。蛍光体ライン１２を形成するための方法として、シャドウマスク５をマスクとして使用して蛍光体ライン１２を露光して形成する露光法が一般に使用される。この露光法では、光の照度が異なると形成される蛍光体ラインの幅に変化が生じる。全ての開孔の水平方向幅が一定の場合には、ブリッジ間隔が狭い短い開孔を通過した光の照度は、これよりブリッジ間隔が広い長い開孔を通過した光の照度より小さくなる。本実施の形態では、短い開孔５２の水平方向最大幅ＨＳｍａｘを長い開孔５１の水平方向基本幅ＨＬより大きくしているので、垂直方向幅の違いに起因して長い開孔５１と短い開孔５２との間で生じるよる照度差を少なくできるので、蛍光体ライン１２を均一幅に形成することができる。
【００５４】
図９に、シャドウマスクの開孔配置パターンに関する好ましい一実施形態を示す。この実施形態は、水平方向に隣り合う２つの孔列１５からなる繰り返し単位５５を水平方向に繰り返した開孔配置パターンを有している。図９に示すように、１つの長い開孔５１を挟む一対のブリッジ１４の水平方向中心線１４ａの間隔ＢＬ、１つの短い開孔５２を挟む一対のブリッジ１４の水平方向中心線１４ａの間隔ＢＳをそれぞれ定義する。また、垂直方向において最も近い２つの長い開孔５１の間に挟まれる短い開孔５２の個数（短い開孔５２の連続個数）Ｎ（Ｎは１以上の整数）、長い開孔５１の垂直方向の配列ピッチＰＬＶ（ＰＬＶ＝ＢＬ＋ＢＳ×Ｎ）をそれぞれ定義する。本実施の形態では、全ての孔列１５において、長い開孔５１の配列ピッチＰＬＶが略同一である。また、全ての孔列１５において、ＢＬ＝ＢＳ×（Ｎ＋２）の関係がほぼ成立する。本実施の形態によれば、隣り合う２つの孔列１５にそれぞれ含まれるブリッジ１４の垂直方向の位置が一致しない。その結果、カラー陰極線管の動作時において、電子ビームがシャドウマスク５により遮られることによってシャドウマスク５の温度が上昇しても、その温度上昇が水平方向に伝わりにくくなるので、熱膨張によるシャドウマスク５の変形を防止することができる。
【００５５】
図９の実施形態において、水平方向に相互に隣り合う任意の２つの孔列１５にそれぞれ含まれる短い開孔５２が水平方向に並ばないように、即ち短い開孔５２の垂直方向位置が重なり合わないように、長い開孔５１と短い開孔５２とが配置されることが好ましい。これにより、隣り合う２つの孔列にそれぞれ含まれるブリッジ１４の垂直方向の位置も一致しなくなるので、熱膨張によるシャドウマスク５の変形を防止することができる。
【００５６】
図９に示した実施形態では、ブリッジ１４の水平方向中心線１４ａの間隔ＰＢＶは、短い開孔５２を挟む一対のブリッジ１４の水平方向中心線１４ａの間隔ＢＳと一致している（ＰＢＶ＝ＢＳ）。
【００５７】
図１０に、シャドウマスクの開孔配置パターンに関する好ましい別の実施形態を示す。この実施形態は、水平方向に連続する４つの孔列１５からなる繰り返し単位５６を水平方向に繰り返した開孔配置パターンを有している。更に、全ての孔列１５において長い開孔５１の配列ピッチＰＬＶが略同一である。また、ブリッジ１４の水平方向中心線１４ａの間隔ＰＢＶと、短い開孔５２を挟む一対のブリッジ１４の水平方向中心線１４ａの間隔ＢＳとが、ＢＳ＝２×ＰＢＶの関係を全ての孔列１５においてほぼ満足する。本実施の形態によれば、垂直方向の位置が一致するブリッジ１４が４列ごとに現れることになるので、２列ごとに現れる図９の構成に比べて、黒い縞模様のコントラストを低くでき、また、走査線とブリッジとの干渉によるモアレ縞が見えにくくなる。なお、本実施形態でも、図９の実施形態と同様に、水平方向に相互に隣り合う任意の２つの孔列１５にそれぞれ含まれる短い開孔５２が水平方向に並ばないことが好ましい。また、図９の実施形態と同様に、全ての孔列１５においてＢＬ＝ＢＳ×（Ｎ＋２）の関係がほぼ成立することが好ましい。
【００５８】
図１１に、シャドウマスクの開孔配置パターンに関する好ましい更に別の実施形態を示す。この実施形態は、水平方向に連続する４つの孔列１５からなる繰り返し単位５７を水平方向に繰り返した開孔配置パターンを有している。更に、全ての孔列１５において長い開孔５１の配列ピッチＰＬＶが略同一である。また、繰り返し単位５７を構成する４つの孔列１５のそれぞれにおける短い開孔５２の連続個数Ｎが同一ではない（換言すれば、繰り返し単位５７を構成する４つの孔列１５において、１つの長い開孔５１を挟む一対のブリッジ１４の水平方向中心線の間隔ＢＬが同一ではない）。本実施の形態によれば、図１０の実施形態と同様に、垂直方向の位置が一致するブリッジ１４が４列ごとに現れることになるので、黒い縞模様のコントラストを低くでき、また、走査線とブリッジとの干渉によるモアレ縞が見えにくくなる。なお、本実施形態でも、図９の実施形態と同様に、水平方向に相互に隣り合う任意の２つの孔列１５に含まれる短い開孔５２が水平方向に並ばないことが好ましい。また、図１０の実施形態と同様に、ブリッジ１４の水平方向中心線１４ａの間隔ＰＢＶと、短い開孔５２を挟む一対のブリッジ１４の水平方向中心線１４ａの間隔ＢＳとが、ＢＳ＝２×ＰＢＶの関係を全ての孔列１５においてほぼ満足することが好ましい。
【００５９】
図１２に、シャドウマスクの開孔形状に関する好ましい実施形態を示す。図１２に示すように、長い開孔５１を、垂直方向両端又はその近傍で水平方向幅を拡大して、略「Ｉ」字状の開孔形状に形成しても良い。ブリッジ１４の近傍で水平方向幅を拡大することにより、蛍光体ライン１２を露光法により形成する際に、短い開孔５２及びブリッジ１４の部分での光の照度の不足を補うことができるので、蛍光体ライン１２の幅を一層均一に形成することができる。長い開孔５１がこのような略「Ｉ」字状の開孔形状を有する場合、長い開孔５１の水平方向基本幅ＨＬは、両端の広幅部分（突出部２３）以外の部分の水平方向幅で定義されるものとする。なお、図１２は、図９に示した開孔配置パターンにおける長い開孔５１を略「Ｉ」字状の開孔形状に形成した例を示したが、図１０，図１１の開孔配置パターンにおいても、同様に長い開孔５１を略「Ｉ」字状の開孔形状に形成しても良い。
【００６０】
図１３及び図１４に、シャドウマスクの開孔形状に関する別の好ましい実施形態を示す。図１３は、短い開孔５２の水平方向幅が、ブリッジ１４の近傍で広く、垂直方向の中央部でこれよりやや細い点で、短い開孔５２が略矩形状の開孔形状を有している図８と相違する。図１３の場合には、短い開孔５２の水平方向最大幅ＨＳｍａｘは、ブリッジ１４の近傍の水平方向幅が最も広い部分の幅で定義されるものとする。図１４は、長い開孔５１は図１２と同様の形状を有し、短い開孔５２は図１３と同様の形状を有する点で、図８と相違する。図１３，図１４においても、短い開孔５２の水平方向最大幅ＨＳｍａｘは、長い開孔５１の水平方向基本幅ＨＬより大きい。図１３，図１４に示すように、ブリッジ１４の近傍で短い開孔５２（好ましくは更に長い開孔５１）の水平方向幅を拡大することにより、蛍光体ライン１２を露光法により形成する場合に、蛍光体ライン１２の幅を一層均一に形成することができる。図１３は、図８，図９に示した開孔配置パターンにおいて、短い開孔５２のブリッジ１４の近傍での水平方向幅を拡大した例を示したが、図１０，図１１の開孔配置パターンにおいても、短い開孔５２の開孔形状を図１３に示したのと同様の形状に形成しても良い。
【００６１】
次に、本発明の実施の形態２に係る具体的な一実施例として、画面対角サイズ７６ｃｍ、偏向角１００°のカラー陰極線管を例に挙げて説明する。
【００６２】
図９に示した実施形態に対応する実施例のカラー陰極線管用シャドウマスクは、孔列１５の水平方向ピッチＰＨ＝０．５ｍｍ、長い開孔５１を挟む一対のブリッジ１４の水平方向中心線１４ａの間隔ＢＬ＝３．６ｍｍ、長い開孔５１の水平方向基本幅ＨＬ＝０．１２５ｍｍ、ブリッジ１４の垂直方向幅Ｇ＝０．０５０ｍｍ、短い開孔５２の水平方向最大幅ＨＳｍａｘ＝０．１３５ｍｍ、短い開孔５２を挟む一対のブリッジ１４の水平方向中心線１４ａの間隔ＢＳ＝０．６０ｍｍ、垂直方向において隣り合う２つの長い開孔５１の間に挟まれる短い開孔５２の個数Ｎ＝４とした。また、シャドウマスク５と蛍光体スクリーン２ａとの間隔は１１ｍｍとした。
【００６３】
このカラー陰極線管を動作させた状態では、垂直方向幅Ｇ＝０．０５０ｍｍである各ブリッジ１４の蛍光体スクリーン２ａ上での影（非発光領域）２０の垂直方向幅Ｇｓｄが０．０４５ｍｍで、この影２０が垂直方向にピッチＳＢＶが０．６ｍｍで５つ連続して配置された。このようなブリッジの影２０の繰り返しは、カラー陰極線管の通常使用時にはほとんど縞として認識されないレベルであった。また、短い開孔５２が垂直方向に連続する部分においてブリッジ１４の数が多くなっているので、シャドウマスク５の機械的強度が向上する。従って、破断の可能性はほとんどなく、製造工程における歩留まり向上が期待できる。また、シャドウマスク５の振動特性も改善される。このことから、本発明によれば、ブリッジ１４の影の繰り返しによる黒い縞模様が認識されないことがわかる。
【００６４】
図１１に示した実施形態に対応する実施例のカラー陰極線管用シャドウマスクは、孔列１５の水平方向ピッチＰＨ＝０．５ｍｍ、長い開孔５１の水平方向基本幅ＨＬ＝０．１２５ｍｍ、ブリッジ１４の垂直方向幅Ｇ＝０．０４５ｍｍ、短い開孔５２の水平方向最大幅ＨＳｍａｘ＝０．１３２ｍｍ、短い開孔５２を挟む一対のブリッジ１４の水平方向中心線１４ａの間隔ＢＳ＝０．９５ｍｍとした。繰り返し単位５７を構成する４つの孔列１５のうち、２つの孔列１５では、垂直方向において最も近い２つの長い開孔５１の間に挟まれる短い開孔５２の個数Ｎ＝２であり、残りの２つの孔列１５ではＮ＝３とした。Ｎ＝２の孔列では、長い開孔５１を挟む一対のブリッジ１４の水平方向中心線１４ａの間隔ＢＬ＝４．７５ｍｍとし、Ｎ＝３の孔列では、間隔ＢＬ＝３．８０ｍｍとした。また、シャドウマスク５と蛍光体スクリーン２ａとの間隔は１１ｍｍとした。
【００６５】
このカラー陰極線管を動作させた状態では、垂直方向幅Ｇ＝０．０４５ｍｍである各ブリッジ１４の蛍光体スクリーン２ａ上での影（非発光領域）２０の垂直方向幅Ｇｓｄが０．０４０ｍｍで、この影２０が垂直方向にピッチＳＢＶが０．９５ｍｍで３つ又は４つ連続して配置された。このようなブリッジの影２０の繰り返しは、カラー陰極線管の通常使用時にはほとんど縞として認識されないレベルであった。また、モアレ縞もほとんど認められなかった。また、短い開孔５２が垂直方向に連続する部分においてブリッジ１４の数が多くなっているので、シャドウマスク５の機械的強度が向上する。従って、破断の可能性はほとんどなく、製造工程における歩留まり向上が期待できる。また、シャドウマスク５の振動特性も改善される。このことから、本発明によれば、ブリッジ１４の影の繰り返しによる黒い縞模様やモアレ縞が認識されないことがわかる。
【００６６】
【発明の効果】
本発明のカラー陰極線管では、シャドウマスクの各孔列には、１つの前記長い開孔と、１又は２以上の前記短い開孔とが交互に配置されている。従って、短い開孔を垂直方向に挟む２つのブリッジの垂直方向間隔が狭くなる。そのために、各ブリッジの垂直方向幅を小さくしてもシャドウマスクに必要な機械的強度を確保できる。また、ブリッジの垂直方向幅を小さくできるので、表示画像の輝度が向上する。
【００６７】
一方、長い開孔を垂直方向に挟む２つのブリッジの間隔は拡げられる。即ち、垂直方向のブリッジ間隔が狭い部分と広い部分とが混在する。これにより、水平方向における熱及び熱膨張の伝達を抑えることができ、ドーミングによる色ズレを防止できる。
【００６８】
また、垂直方向に、１つの長い開孔と、１又は２以上の短い開孔とが交互に配置されるので、ブリッジの配置の規則性が希薄になり、モアレ縞の発生が抑えられる。従って、図１７に示したような凸部９２の形成が不要になる。これにより、凸部９２の寸法バラツキによる色純度の低下という問題が発生しない。また、凸部の形成が不要であるために、輝度が一層向上する。
【００６９】
また、短い開孔の水平方向最大幅ＨＳｍａｘは長い開孔の水平方向基本幅ＨＬより大きいことにより、垂直方向幅の違いに起因して長い開孔と短い開孔との間で生じるよる照度差を少なくできるので、露光法により均一幅の蛍光体ラインを形成することができる。
【図面の簡単な説明】
【図１】本発明にかかるカラー陰極線管の一実施形態を示した側面断面図
【図２】本発明の実施の形態１にかかるカラー陰極線管におけるシャドウマスクとマスクフレームとからなる組み立て体を示す斜視図
【図３】本発明の実施の形態１にかかるカラー受像管において、シャドウマスク、蛍光体スクリーン、及び電子ビームが開孔を通過後に蛍光体スクリーンへ到達した通過ビームを電子銃側から見た切り欠き概略図
【図４】本発明の実施の形態１にかかる別のカラー受像管において、シャドウマスク、蛍光体スクリーン、及び電子ビームが開孔を通過後に蛍光体スクリーンへ到達した通過ビームを電子銃側から見た切り欠き概略図
【図５】本発明の実施の形態１にかかる更に別のカラー受像管において、シャドウマスク、蛍光体スクリーン、及び電子ビームが開孔を通過後に蛍光体スクリーンへ到達した通過ビームを電子銃側から見た切り欠き概略図
【図６】本発明の実施の形態１にかかる更に別のカラー受像管において、シャドウマスク、蛍光体スクリーン、及び電子ビームが開孔を通過後に蛍光体スクリーンへ到達した通過ビームを電子銃側から見た切り欠き概略図
【図７】本発明の実施の形態２にかかるカラー陰極線管におけるシャドウマスクとマスクフレームとからなる組み立て体を示す斜視図
【図８】本発明の実施の形態２にかかるカラー受像管において、シャドウマスク、蛍光体スクリーン、及び電子ビームが開孔を通過後に蛍光体スクリーンへ到達した通過ビームを電子銃側から見た切り欠き概略図
【図９】本発明の実施の形態２にかかるカラー受像管におけるシャドウマスクの開孔配置パターンの一実施形態を示した図
【図１０】本発明の実施の形態２にかかる別のカラー受像管におけるシャドウマスクの開孔配置パターンを示した図
【図１１】本発明の実施の形態２にかかる更に別のカラー受像管におけるシャドウマスクの開孔配置パターンを示した図
【図１２】本発明の実施の形態２にかかる更に別のカラー受像管におけるシャドウマスクの開孔配置パターンを示した図
【図１３】本発明の実施の形態２にかかる更に別のカラー受像管において、シャドウマスク、蛍光体スクリーン、及び電子ビームが開孔を通過後に蛍光体スクリーンへ到達した通過ビームを電子銃側から見た切り欠き概略図
【図１４】本発明の実施の形態２にかかる更に別のカラー受像管において、シャドウマスク、蛍光体スクリーン、及び電子ビームが開孔を通過後に蛍光体スクリーンへ到達した通過ビームを電子銃側から見た切り欠き概略図
【図１５】従来のカラー陰極線管におけるシャドウマスクとマスクフレームとからなる組み立て体を示す斜視図
【図１６】従来のカラー陰極線管のシャドウマスクに形成される開孔の形状及び配置の一例を示した図
【図１７】従来の別のカラー陰極線管において、シャドウマスク、蛍光体スクリーン、及び電子ビームが開孔を通過後に蛍光体スクリーンへ到達した通過ビームを電子銃側から見た切り欠き概略図
【図１８】従来の更に別のカラー陰極線管のシャドウマスクに形成される開孔の形状及び配置を示した図
【符号の説明】
１  カラー陰極線管
２  パネル
２ａ  蛍光体スクリーン
３  ファンネル
４  電子銃
５  シャドウマスク
６  マスクフレーム
７  電子ビーム
８  偏向ヨーク
１０  支持体
１１  弾性部材
１２  蛍光体ライン
１４  ブリッジ
１４ａ  ブリッジの水平方向中心線
１５  孔列
１６  長い開孔
１７  短い開孔
１８，１９  通過ビーム
２０  非発光領域
２３  突出部
５１  長い開孔
５２  短い開孔
５３，５４  通過ビーム
５５，５６，５７  繰り返し単位
【図１】
2004362778.tif 000003
【図２】
2004362778.tif 000004
【図３】
2004362778.tif 000005
【図４】
2004362778.tif 000006
【図５】
2004362778.tif 000007
【図６】
2004362778.tif 000008
【図７】
2004362778.tif 000009
【図８】
2004362778.tif 000010
【図９】
2004362778.tif 000011
【図１０】
2004362778.tif 000012
【図１１】
2004362778.tif 000013
【図１２】
2004362778.tif 000014
【図１３】
2004362778.tif 000015
【図１４】
2004362778.tif 000016
【図１５】
2004362778.tif 000017
【図１６】
2004362778.tif 000018
【図１７】
2004362778.tif 000019
【図１８】
2004362778.tif 000020